(57)【特許請求の範囲】
【請求項１】
ハンドルベースに回転操作可能に軸支される操作部材を有し、該操作部材の初期位置から操作位置への回転操作により操作力伝達手段を介してドア体に配置されたドアロック装置を操作する車両のドアハンドル装置であって、
操作部材に比して軟質の合成樹脂材により形成されて前記操作部材に装着され、装着状態において、前記操作力伝達手段の一端の操作部材への連結状態を保持するとともに、ハンドルベースのストッパ壁面に当接して操作部材の操作ストローク終端位置を決定する連結保持部材を有し、
前記操作部材には、前記連結保持部材により決定されるストローク終端位置からのオーバーストローク位置において前記ハンドルベースに当接して前記連結保持部材のオーバーストロークによる変形量を規制する第２ストッパが設けられ、
かつ、前記連結保持部材は、操作部材の回転軸に装着されるとともに、装着状態において、操作部材に回転方向に連結されて操作部材とともに回転する車両のドアハンドル装置。
【請求項２】
前記連結保持部材にはストッパ突条が形成され、該ストッパ突条をハンドルベースのストッパ壁面に当接させて操作ストローク終端が決定される請求項１記載の車両のドアハンドル装置。
【請求項３】
前記操作力伝達手段は、アウターケース内にインナーケーブルを摺動自在に挿通させたケーブル装置により形成されるとともに、
操作部材とインナーケーブルとはインナーケーブルの先端に形成され、インナーケーブルの長手方向に直交する連結用折り曲げ部を操作部材のケーブル挿通孔に挿通させて連結され、
かつ、連結保持部材は、翼部により連結用折り曲げ部のケーブル挿通孔からの脱離方向への移動を規制して操作部材とインナーケーブルとの連結状態を保持する請求項１または２記載の車両のドアハンドル装置。
【請求項４】
操作ハンドルが連結されるハンドルベースにロックレバーを回転操作可能に連結して形成され、ロックレバーの初期位置から操作位置への回転操作によって、ロックレバーに一端が連結されたケーブル装置を介してドアロック装置を操作する車両のドアインサイドハンドル装置であって、
前記ロックレバーには、ケーブル装置のロックレバーへの連結状態を保持する連結保持部材が連結されるとともに、
前記連結保持部材は、ロックレバーに比して軟質の合成樹脂材により形成されてハンドルベースのストッパ壁面に当接した際の衝突音の発生を防止してロックレバーのストローク終端位置を決定し、
かつ、ロックレバーには、前記連結保持部材により決定されるストローク終端位置からのオーバーストローク位置において前記ハンドルベースに当接して前記連結保持部材のオーバーストロークによる変形量を規制する第２ストッパが設けられ、
かつ、前記連結保持部材は、ロックレバーの回転軸に装着されるとともに、装着状態において、ロックレバーに回転方向に連結されてロックレバーとともに回転する車両のドアインサイドハンドル装置。
【発明の詳細な説明】
【技術分野】
【０００１】
本発明は、車両のドアハンドル装置に関するものである。
【背景技術】
【０００２】
ハンドルベースに連結される操作部材のストローク終端位置における衝突音を軽減させたドアハンドル装置としては、特許文献１の図４に記載のものが知られている。この従来例において、ハンドル装置は、ボディ本体（ハンドルベース）に施解錠操作ノブ（操作部材）を回転操作可能に連結して形成され、操作部材への操作をロッドを介してドアロック装置に伝達する。
【０００３】
ロッドを操作部材に連結するために操作部材に装着されるホルダー部材には操作部材がストローク終端位置に移動した際にハンドルベース側に設けたストッパー部に当接する緩衝部が一体に形成され、ストローク終端位置への移動時の衝突音の発生を防止する。
【先行技術文献】
【特許文献】
【０００４】
【特許文献１】実開平６-７９９７５号公報
【発明の概要】
【発明が解決しようとする課題】
【０００５】
しかし、上述した従来例において、緩衝効果を発揮させるために軟質材料により形成されるホルダー部材は、大きな衝撃荷重を繰り返し与えられ、さらに、ストローク終端位置において常時静荷重を受けているために、経時的に弾性能を失い、緩衝効果が消滅するという問題がある。
【０００６】
本発明は、以上の欠点を解消すべくなされたものであって、簡単な構造で長期にわたって緩衝音の発生を防止できる車両のドアハンドル装置の提供を目的とする。また、本発明の他の目的は、ドアハンドル装置の構造を採用した車両のドアインサイドハンドル装置の提供にある。
【課題を解決するための手段】
【０００７】
ドアハンドル装置は、ハンドルベース１に回転操作可能に軸支される操作部材２と、操作部材２に形成される第２ストッパ７と、操作部材２に比して軟質の合成樹脂材により形成される連結保持部材６とを有する。
【０００８】
操作部材２は、初期位置と操作位置との間を回転可能であり、初期位置から操作位置まで回転操作すると、操作部材２に連結された操作力伝達手段３を介してドアロック装置４が操作される。操作部材２への操作は、手動であっても、モータ等の電気的駆動手段を有するものであっても、さらには、双方を状況により使い分けるものであってもよい。また、操作力伝達手段３には、アウターケース９内にインナーケーブル１０を摺動自在に挿通させたケーブル装置３、あるいはロッド棒等を使用できる。
【０００９】
連結保持部材６は、操作部材２への装着状態において、操作部材２と操作力伝達手段３の連結状態を保持するもので、操作力伝達手段３の一端に適宜の連結手段により連結して使用される所謂周知のロッドホルダ等であってもよく、さらには、操作力伝達手段３には直接連結されることなく、間接的に操作力伝達手段３の移動方向、移動量を規制して操作部材２からの脱落を防止するものであってもよい。
【００１０】
連結保持部材６は、さらに、ストローク規制部材を兼用しており、操作部材２のストローク終端位置は、ハンドルベース１に形成されるストッパ壁面５に連結保持部材６を当接させることにより決定される。ストローク終端を軟質の連結保持部材６を使用して決定することにより、ストローク終端位置での衝接音の発生が防止される。
【００１１】
第２ストッパ７は、連結保持部材６により決定されるストローク終端位置からのオーバーストローク位置においてハンドルベース１に当接して連結保持部材６のオーバーストロークによる変形量を規制し、この結果、連結保持部材６の弾性能の低下による性能劣化が防止される。
【００１２】
また、上記連結保持部材６は、操作部材２の回転軸に装着されるために、連結保持部材６の操作部材２からの脱落を確実に防止することが可能になる。
【００１３】
さらに、上述したドアハンドル装置は、
操作ハンドル１４が連結されるハンドルベース１にロックレバー２を回転操作可能に連結して形成され、ロックレバー２の初期位置から操作位置への回転操作によって、ロックレバー２に一端が連結されたケーブル装置３を介してドアロック装置４を操作する車両のドアインサイドハンドル装置であって、
前記ロックレバー２には、ケーブル装置３のロックレバー２への連結状態を保持する連結保持部材６が連結されるとともに、
前記連結保持部材６は、ロックレバー２に比して軟質の合成樹脂材により形成されてハンドルベース１のストッパ壁面５に当接した際の衝突音の発生を防止してロックレバー２のストローク終端位置を決定し、
かつ、ロックレバー２には、前記連結保持部材６により決定されるストローク終端位置からのオーバーストローク位置において前記ハンドルベース１に当接して前記連結保持部材６のオーバーストロークによる変形量を規制する第２ストッパ７が設けられ、
かつ、前記連結保持部材６は、ロックレバー２の回転軸に装着されるとともに、装着状態において、ロックレバー２に回転方向に連結されてロックレバー２とともに回転する車両のドアインサイドハンドル装置として構成することができる。
なお、本発明によれば、
ハンドルベース１に回転操作可能に軸支される操作部材２を有し、該操作部材２の初期位置から操作位置への回転操作により操作力伝達手段３を介してドア体に配置されたドアロック装置４を操作する車両のドアハンドル装置であって、
操作部材２に比して軟質の合成樹脂材により形成されて前記操作部材２に装着され、装着状態において、前記操作力伝達手段３の一端の操作部材２への連結状態を保持するとともに、ハンドルベース１のストッパ壁面５に当接して操作部材２の操作ストローク終端位置を決定する連結保持部材６を有し、
かつ、操作部材２には、前記連結保持部材６により決定されるストローク終端位置からのオーバーストローク位置において前記ハンドルベース１に当接して前記連結保持部材６のオーバーストロークによる変形量を規制する第２ストッパ７が設けられる車両のドアハンドル装置や、
操作ハンドル１４が連結されるハンドルベース１にロックレバー２を回転操作可能に連結して形成され、ロックレバー２の初期位置から操作位置への回転操作によって、ロックレバー２に一端が連結されたケーブル装置３を介してドアロック装置４を操作する車両のドアインサイドハンドル装置であって、
前記ロックレバー２には、ケーブル装置３のロックレバー２への連結状態を保持する連結保持部材６が連結されるとともに、
前記連結保持部材６は、ロックレバー２に比して軟質の合成樹脂材により形成されてハンドルベース１のストッパ壁面５に当接した際の衝突音の発生を防止してロックレバー２のストローク終端位置を決定し、
かつ、ロックレバー２には、前記連結保持部材６により決定されるストローク終端位置からのオーバーストローク位置において前記ハンドルベース１に当接して前記連結保持部材６のオーバーストロークによる変形量を規制する第２ストッパ７が設けられる車両のドアインサイドハンドル装置を提供することも可能である。
【発明の効果】
【００１４】
本発明によれば、連結保持部材の撓みを第２ストッパにより制限するために、長期にわたって緩衝音の発生を防止することができる。
【図面の簡単な説明】
【００１５】
【図１】本発明を示す正面図である。
【図２】図１の断面図で、（ａ）は２Ａ-２Ａ線断面図、（ｂ）は２Ｂ-２Ｂ線断面図である。
【図３】図１の断面図で、（ａ）は３Ａ-３Ａ線断面図、（ｂ）は３Ｂ-３Ｂ線断面図である。
【図４】ロックレバーを示す斜視図で、（ａ）は連結保持部材装着側から見た図、（ｂ）は（ａ）に対して反対方向から見た図である。
【図５】インナーケーブルの保持状態を示す図で、（ａ）はロックレバーにインナーケーブルを連結した状態を示す図、（ｂ）はケーブル装置を示す図である。
【図６】ロックレバーのストローク状態を示す図で、（ａ）はロック位置を示す図３（ｂ）の６Ａ−６Ａ線断面図、（ｂ）は（ａ）の要部拡大図、（ｃ）はロック解除位置を示す図、（ｄ）はロック解除位置における第２ストッパを示す図である。
【発明を実施するための形態】
【００１６】
図１に車両のドアインサイドハンドル装置として構成された本発明の実施の形態を示す。インサイドハンドル装置は、図外のドアパネルに固定されるハンドルベース１に操作ハンドル１４と、ロックレバー（操作部材２）とを枢軸１６を使用して回転操作可能に軸支される。
【００１７】
操作ハンドル１４、およびロックレバー２には、アウターケーブル内にインナーケーブル１０を摺動自在に挿通させたケーブル装置（操作力伝達手段３）が連結され、後述するように、操作ハンドル１４を初期位置から操作位置まで回転操作すると、ドアロック装置４のロックが解除されてドア体の開放操作が可能になり、ロックレバー２をロック解除位置からロック位置まで回転操作すると、キャンセル部４ａが作動し、上記操作ハンドル１４からの操作がキャンセルされて操作ハンドル１４によるドア体の開放操作が不能となる。
【００１８】
操作ハンドル１４は、回転中心を挟んで一端部に手掛け部１４ａを、反対端にワイヤ連結孔１４ｂを備え、枢軸１６周りに図２（ａ）において実線で示す初期位置と、鎖線で示す操作位置との間で回転操作される。図３に示すように、操作ハンドル１４には、トーションスプリング１４ｃにより初期位置側への付勢力が与えられる。
【００１９】
操作ハンドル１４に対応するケーブル装置３の装着は、アウターケース９の端部に形成されたケースエンド９ａをハンドルベース１に形成されたケーブル係止部１ａに係止させるとともに、インナーケーブル１０の先端に固定される球状のケーブルエンド１０ａを操作ハンドル１４のワイヤ連結孔１４ｂに嵌合して行われる。
【００２０】
一方、ロックレバー２は、合成樹脂材を射出成形して形成され、ハンドルベース１に装着した際の外部露出面に操作用膨隆部２ａが、枢軸１６を挟んで反対端部にケーブル挿通孔１２が設けられる。
【００２１】
このロックレバー２に対応するケーブル装置３のインナーケーブル１０には、図５（ｂ）に示すように、先端がＬ字形状に折曲したケーブルエンド１０ａが固定されており、連結用折り曲げ部１１を上記ケーブル挿通孔１２に挿入してロックレバー２に連結される。
【００２２】
このインナーケーブル１０のケーブル挿通孔１２からの脱落を防止するために、ロックレバー２には連結保持部材６が連結される。図４に示すように、連結保持部材６は、ロックレバー２に比して軟質の合成樹脂材により形成されており、ロックレバー２を軸支する枢軸１６を軸挿通孔６ａに挿通させて枢軸１６周りに空転自在に装着される。
【００２３】
図４に示すように、この連結保持部材６には回り止め突部６ｂと翼部１３とが設けられ、連結保持部材６の壁面から突出する回り止め突部６ｂをロックレバー２の壁面に形成された嵌合凹部２ｂに嵌合させることによりロックレバー２に対する空転が規制され、ロックレバー２とともに回転する。
【００２４】
また、翼部１３は、図５に示すように、装着状態において、インナーケーブル１０のケーブルエンド１０ａをロックレバー２と協働して挟み付け、連結用折り曲げ部１１のケーブル挿通孔１２からの脱落方向（図５における紙面手前側方向）への移動を規制し、インナーケーブル１０の連結状態を保持する。
【００２５】
さらに、連結保持部材６には、ロック位置、アンロック位置に対応して２個のストッパ突条８が形成される。図６（ａ）に示すように、ロックレバー２がロック位置にあるとき、連結保持部材６のロック側ストッパ突条８Ａは、ハンドルベース１に形成されたロック側ストッパ壁５Ａに当接してロックレバー２のロック位置側ストローク終端が決定される。
【００２６】
この状態からロックレバー２がロック解除位置側に回転操作されると、図６（ｃ）に示すように、アンロック側ストッパ突条８Ｂがハンドルベース１のアンロック側ストッパ壁面５Ｂに当接して当該方向のストローク終端を決定する。
【００２７】
加えて、ロックレバー２には、第２ストッパ７が設けられる。この実施の形態において、ロック側第２ストッパ７Ａは、図５（ａ）に示すように、ハンドルベース１から突設されるストッパ突部１ｂに当接し、アンロック側第２ストッパ７Ｂは、図６（ｃ）に示すように、ロックレバー２外周壁に形成される。
【００２８】
これら第２ストッパ７は、上記連結保持部材６のストッパ突条８が当接してストローク終端位置にロックレバー２が到達した後、さらに、オーバーストローク方向の負荷が加わった場合、すなわち、ロック位置側への操作が終了して、さらに同方向への操作力が負荷された場合、あるいは、ロック解除位置側への操作が終了したさらにロック解除位置側への操作力が付与され、ストッパ突条８が押し込み方向の負荷により撓んで突出状態が解除された際に働くことにより、さらなる連結保持部材６への撓みの発生を防止する。
【００２９】
したがってこの実施の形態において、ロックレバー２を手動、あるいは電動により反対位置、すなわちロック位置からロック解除位置、あるいはロック解除位置からロック位置に作動させると、まず、連結保持部材６のストッパ突条８がハンドルベース１のストッパ壁面５に当接する。電動操作のように、反対位置の移動が大きな駆動力により行われた場合であっても、軟質のストッパ突条８がまず衝接することにより、衝突音の発生が防止される。
【００３０】
この状態から、ロックレバー２にさらに同方向の操作力が与えられた場合には、第２ストッパ７が当接して連結保持部材６への過度の撓み発生による弾性喪失等が防止される。
【符号の説明】
【００３１】
１        ハンドルベース
２        操作部材
３        操作力伝達手段
４        ドアロック装置
５        ストッパ壁面
６        連結保持部材
７        第２ストッパ
８        ストッパ突条
９        アウターケース
１０      インナーケーブル
１１      連結用折り曲げ部
１２      ケーブル挿通孔
１３      翼部
１４      操作ハンドル
１５      ケーブル装置
【図１】
0005752913.tif 000002
【図２】
0005752913.tif 000003
【図３】
0005752913.tif 000004
【図４】
0005752913.tif 000005
【図５】
0005752913.tif 000006
【図６】
0005752913.tif 000007